(57)【要約】【課題】交換可能又は取外し可能な温度プローブを有する電子温度計を提供する。【解決手段】全ての相互汚染源への患者の露出を低減し、感染抑制を助け、清潔で汚染されていない容易にアクセス可能なプローブカバー供給装置をもたらす電子温度計。製造時に高価な較正手順を必要とせず廉価なサーミスタの使用を可能にする、電子温度計のためのプローブアセンブリ。「ＥＥＰＲＯＭ」集積回路のようなメモリ要素は、各特定プローブアセンブリ内の較正情報及び識別情報を記憶し、これにより性能が改善され、製造コストが低減される。【選択図】図１
2004533618.tif 000002
【特許請求の範囲】
【請求項１】
較正情報を記憶するメモリを有する取外し可能なモジュールと、
温度計算ユニットと、
を含むことを特徴とする電子温度計。
【請求項２】
温度プローブ識別情報を記憶するメモリを有する取外し可能なモジュールと、
温度計算ユニットと、
を含むことを特徴とする電子温度計。
【請求項３】
前記メモリは、前記取外し可能なモジュールが前記温度計算ユニットに設置された時に該温度計算ユニットと電気通信することができることを特徴とする請求項１に記載の電子温度計。
【請求項４】
前記較正情報は、各々が異なる温度で取られた少なくとも２つの較正基準点パラメータを含むことを特徴とする請求項１に記載の電子温度計。
【請求項５】
電子温度計内の取外し可能な温度プローブを識別する方法であって、
プローブ識別情報をメモリチップに記憶する段階と、
前記メモリチップを前記温度プローブに接続する段階と、
前記温度プローブ及びメモリチップを温度計算ユニットに取外し可能に接続する段階と、
前記プローブ識別情報を前記メモリチップから前記温度計算ユニットに通信する段階と、
を含むことを特徴とする方法。
【請求項６】
少なくとも１つの取外し可能なモジュールと、
少なくとも１つの温度計算ユニットと、
プローブ識別情報を前記少なくとも１つの取外し可能なモジュール内に記憶する手段と、
前記プローブ識別情報を前記記憶する手段と前記温度計算ユニットとの間で通信する手段と、
を含むことを特徴とする電子温度計。
【請求項７】
前記メモリは、ＥＥＰＲＯＭを含むことを特徴とする請求項１に記載の電子温度計。
【請求項８】
前記メモリは、２５６ビット単線寄生電力のＥＥＰＲＯＭであることを特徴とする請求項１に記載の電子温度計。
【請求項９】
前記取外し可能なモジュールは、特定プローブ用アルゴリズムパラメータを記憶する手段を含むことを特徴とする請求項１に記載の電子温度計。
【請求項１０】
前記メモリは、前記取外し可能なモジュール内にカプセル封入されることを特徴とする請求項１に記載の電子温度計。
【請求項１１】
前記メモリは、前記取外し可能なモジュールのプローブアセンブリに組み込まれることを特徴とする請求項１に記載の電子温度計。
【請求項１２】
前記メモリとの結合部は、流体の侵入から保護されることを特徴とする請求項１１に記載の電子温度計。
【請求項１３】
前記メモリは、前記取外し可能なモジュールのプローブケーブルアセンブリのコネクタ部分に配置されることを特徴とする請求項１１に記載の電子温度計。
【請求項１４】
前記取外し可能なモジュールには、温度プローブと、電気ケーブルと、第１のコネクタ要素とを含むプローブアセンブリが組み込まれ、
前記第１のコネクタ要素は、前記プローブ、及び前記プローブアセンブリ内に組み込まれた前記メモリへの電気接続をもたらす耐流体性合わせ端子を含む、
ことを特徴とする請求項１に記載の電子温度計。
【請求項１５】
前記メモリは、前記第１のコネクタ要素内にオーバーモールドされることを特徴とする請求項１４に記載の電子温度計。
【請求項１６】
前記温度計算ユニットには、ヘッダアセンブリが組み込まれ、
前記ヘッダアセンブリは、マイクロプロセッサシステムと電気接続したヘッダ端子を含み、前記取外し可能なモジュールの前記第１のコネクタ要素と嵌合可能である、
ことを特徴とする請求項１４に記載の電子温度計。
【請求項１７】
前記ヘッダアセンブリは、耐流体性であり、前記マイクロプロセッサシステムへの流体の侵入を防止することを特徴とする請求項１６に記載の電子温度計。
【請求項１８】
前記プローブは、前記端子と電気的に接続された少なくとも１つのサーミスタを含み、
前記較正情報は、少なくとも２つの異なる基準温度に対応する、前記少なくとも１つのサーミスタのそれぞれの抵抗値を含む、
ことを特徴とする請求項１４に記載の電子温度計。
【請求項１９】
前記メモリは、温度プローブ識別情報を記憶することを特徴とする請求項１４に記載の電子温度計。
【請求項２０】
前記プローブ識別情報は、前記温度プローブに関連する固有の識別番号を含むことを特徴とする請求項１９に記載の電子温度計。
【請求項２１】
前記固有の識別番号は、予めプログラムされて認証されたＥＥＰＲＯＭ登録番号であることを特徴とする請求項２０に記載の電子温度計。
【請求項２２】
温度計算ユニットと、
取外し可能なモジュールと、
を含み、
前記取外し可能なモジュールには、プローブアセンブリが組み込まれ、該プローブアセンブリは、温度プローブと、該温度プローブに結合された第１の端部及び該プローブへの電気接続をもたらす耐流体性合わせ端子を含むコネクタ部分に結合された第２の端部を有するケーブルと、前記プローブアセンブリ内に組み込まれたメモリとを含み、
前記メモリは、前記温度プローブに関連する固有の識別番号を含む温度プローブ識別データと、温度プローブ較正データとを記憶し、
前記温度プローブは、前記合わせ端子と電気的に接続された少なくとも１つのサーミスタを含み、前記温度プローブ較正情報は、少なくとも２つの異なる基準温度に対応する、前記少なくとも１つのサーミスタのそれぞれの抵抗値を含み、
前記温度計算ユニットには、マイクロプロセッサシステムと電気接続したヘッダ端子を含み、前記取外し可能なモジュールの前記コネクタ部分と嵌合可能なヘッダアセンブリが組み込まれ、該ヘッダアセンブリは、耐流体性であり、前記マイクロプロセッサシステムへの流体の侵入を防止する、
ことを特徴とする電子温度計。
【発明の詳細な説明】
【技術分野】
【０００１】
関連の出願
本出願は、本明細書においてその全内容が引用により組み込まれる、２００１年６月２７日出願の米国特許仮出願一連番号第６０／３０１，３９５号からの恩典を請求する２００１年８月２８日出願の米国特許出願一連番号第０９／９４２，３３４号に対する優先権を請求するものである。
本発明は、電子温度計、特に、交換可能又は取外し可能な温度プローブを有する電子温度計に関する。
【背景技術】
【０００２】
電子温度計は、体温を素早く正確に測定するために広く使用されている。温度感知プローブは、患者の温度を測定するために、経口的、直腸、又は腋窩（脇の下）位置に挿入される。温度感知プローブは、電気ケーブルによって温度計算ユニット内の熱回路に結合されている。温度感知プローブは、信号を発生させる。この信号は、電気ケーブルを通過して温度計算ユニットに至り、そこで、信号が同等の温度読取値に変換される。温度計算ユニットは、計算された温度読取値を示すデジタル表示器を有する。
各測定の前に、温度プローブに使い捨てプラスチックプローブカバーが被せられる。その後、プローブカバーは、各温度読み取り後に処分され、新しいプローブカバーが、その後の各測定のために使用される。使用しない時、温度感知プローブは、プローブの損傷及びプローブの汚れを最小限に抑えるために、温度計算ユニットに付随したハウジング、くぼみ、又は、凹部に格納される。
【０００３】
一般的な使用において、従来技術の電子温度計は、少なくとも３つの主な汚染源の影響を受けやすい。第１に、これらの温度計は、経口温度測定、直腸温度測定、及び腋窩温度測定について同じ温度感知プローブを使用している。使い捨てプラスチックプローブカバーを各測定のために使用したとしても、同じプローブを使用するために相互汚染が発生する恐れがある。従って、プローブ上の直腸又は腋窩汚染物が、同じ及び／又は他の患者に経口的に移される場合がある。
【０００４】
第２の汚染源は、プローブ格納チャンバに関連する。プローブは、温度計算ユニットに結合された単一のハウジング凹部に格納される。この凹部は、一旦汚れると、同じ凹部で他のプローブが交換可能に格納されるので他のプローブに汚れを広げる恐れがある。経時的に、格納チャンバはまた、複数のプローブの格納で異物及び汚れを集める恐れがある。その場合もまた、直腸又は腋窩での使用によるプローブ上の汚染物質が、同じ及び／又は他の患者に経口的に移される恐れがある。
【０００５】
第３の汚染源は、使い捨てプローブカバーに関係するものである。患者の体温を測定する度に、プローブは、未使用の使い捨てプローブカバーの箱に挿入される。従来技術の温度プローブは、共通のプローブカバー供給装置を共有する。従って、直腸温度、経口温度、及び腋窩温度を測るために使用されたプローブは、繰り返し同じプローブカバー供給装置に挿入される。次に、プローブは、一旦汚れると、他の未使用プローブカバーに汚れを広げる恐れがある。その後、未使用プローブカバー上に堆積した汚染物質は、同じ及び／又は他の患者に移される恐れがある。
【０００６】
電子温度計は、経口、腋窩、及び直腸温度の測定に使用されることから、世界共通の色コードが病院によって使用されており、直腸の温度測定には赤色プローブ、経口及び腋窩温度測定には青色プローブが使用される。この色コードシステムは、医療従事者が各温度読み取りに適正なプローブを使用することを非常に容易にして相互汚染の可能性を低減する。
経口及び腋窩温度測定には青色プローブ、直腸温度測定には赤色プローブを使用することにより、第１の汚染源が低減されている。また、このようにプローブ使用を分けることにより、医療従事者が全ての種類の温度測定に同じプローブを使用することに関する患者側の認識の問題が改善されている。しかし、このような実施方法では、プローブが交換可能でない場合は、各場所で２つの温度計ユニットが利用可能であることが必要である。２つの温度計ユニットを各場所に維持することは、非効率的かつコストの掛かる手段であると考えられてきた。また、このような実施方法により、医療従事者は、不適切であるが最も便利なユニットを使用しやすくなる。
【０００７】
既に、取外し可能なプローブユニットを有する温度計が開発されている。米国ニュージャージー州ニューブランズウィック所在のジョンソン・アンド・ジョンソンに譲渡された米国特許第４，００８，６１４号では、経口隔離チャンバに永久的に取り付けられた経口温度プローブと共に使用可能な電子温度計ユニットが開示されている。同様に、直腸隔離チャンバに永久的に取り付けられた直腸プローブがある。プローブと隔離チャンバとを互いに１つのユニットとして接続することは、従って、間違った隔離チャンバを有するプローブをうっかり使用する可能性を除外する。
【０００８】
同様に、チーズブロー・ポンズ・インコーポレーテッドに譲渡された米国特許第４，６１９，２７１号では、１つのユニットとして一緒に容易に取外し及び交換することができる、プローブ部材及びプローブ部材を保持するプローブチャンバを含む独立した交換可能プローブユニットが開示されている。プローブ、ケーブル、及び隔離チャンバは、全て同じ色である。永久的な結合により、医療従事者が適切な隔離チャンバにプローブを格納することが確実になり、その結果、感染に至る汚染の危険性が低減される。これらの各手法の大きな制限は、たとえプローブが隔離チャンバに永久的に取り付けられたとしても、経口及び直腸プローブユニットの両方は、繰り返しかつ交換可能にプローブカバーの同じ１つ又は複数の箱に挿入され、プローブを汚染する可能性に曝すことである。
【０００９】
チーズブロー・ポンズ・インコーポレーテッドに譲渡された米国特許第４，５７２，３６５号では、清潔なプローブカバーに便利にアクセスできるようにする目的で改良型プローブカバー保持及び分配装置が開示されている。電子温度計ハウジングは、プローブカバーのカートンを受け取るためのチャンバを含む。カートンが挿入されてハウジング内に固定された状態で、通常は摺動カバーで閉じられている温度計ハウジング内の開口により、挿入されたプローブカバーのカートンにアクセスすることができる。しかし、この装置においては、プローブカバーのカートリッジを変えることなく、プローブ及び隔離ユニットを経口及び直腸の使用の間で交換することができる。経口及び直腸プローブユニットの両方は、同じプローブカバー供給装置へのアクセスを共有して相互汚染の発生源をもたらす。
【００１０】
セイモア他に付与された米国特許第４，２６０，０５８号では、プローブカバーのカートリッジを受け取るためのホルダを温度計装置の上に取り付ける構成が開示されている。しかし、この手法では、プローブカバーは、依然として温度計算ユニットと共に格納される。開示された構成では、専用のプローブ及び隔離チャンバは必要ではない。これにより、ここでもまた、経口及び直腸プローブの両方が共有のプローブカバー供給装置にアクセスする恐れがあり、その結果、汚染源をもたらす。
これらの従来技術の各手法は、各温度感応プローブが、経口又は直腸プローブを問わず、繰り返しプローブカバーの同じ箱に挿入されるので汚染に曝される点に対処していない。各手法は、カバーが温度計算ユニットと共に又は温度計と分離してまとめて格納されるかを問わず、同じプローブカバー供給装置を使用する。
【００１１】
本明細書においてその全内容が引用により組み込まれる、２００１年６月２７日提出で現在特許出願中の「プローブ先端熱隔離及び高速予測アルゴリズム」という名称の米国特許出願（一連番号未定）では、経口、腋窩、及び直腸の温度測定に対する同じプローブの使用、各種類のプローブに対する同じ格納チャンバの使用、及び各種類のプローブに対する同じプローブカバーの供給の使用を排除することにより、３つの主な汚染源及び相互汚染源の全てを低減する電子温度計が開示されている。この現在特許出願中の出願には、温度感応プローブと使い捨てプローブカバーの清潔で汚染されていない供給との両方を受け取って格納することができる取外し可能なモジュールが開示されている。この取外し可能なモジュールは、プローブカバーがプローブ上に残ったままの温度感知プローブの格納を防止する隔離チャンバを含む。また、取外し可能なモジュールにより、医療従事者は、取外し可能なモジュールを分解又は物理的に接触することなく、透明なモジュールハウジングを通してプローブカバーの供給を容易に見ることができる。モジュールハウジングは、容易に洗浄してコストを掛けずに交換されるので、感染抑制を助けるものである。電子温度計使用時に遭遇する共通汚染源の全てに対する患者の露出は、経口、腋窩、及び直腸の温度測定に使用された温度感知プローブ及び使い捨てプローブカバーの格納を隔離して専用のユニット又はモジュールに入れることにより低減される。
【００１２】
少なくとも２つの種類の取外し可能なモジュールは、１つの温度計算ユニットと交換可能に作動可能である。取外し可能なモジュールは、プローブアセンブリ及びモジュールハウジングで構成される。モジュールハウジングは、２つのチャンバを含み、１つはプローブを格納するためのチャンバであり、１つはプローブカバーの新しい供給を格納するためのチャンバである。モジュールハウジング及びプローブアセンブリの各々は、直腸温度測定用は赤、経口及び腋窩温度測定用は青色という標準的な慣習に従って色コード化されている。
【００１３】
上述の現在特許出願中の出願で開示されているような電子温度計及び従来技術で開示された電子温度計は、一般的に、サーミスタのようなプローブ内の温度センサ素子を使用する。サーミスタ及びサーミスタ回路は、サーミスタ及びサーミスタ回路間の要素変動を補正するために製造時に較正されなければならない。例えば、サーミスタは、特定の抵抗値を温度の関数として出力する。この抵抗値は、温度読取値として、又は予測された温度読取値を示すものとして電子温度計の電子要素により解釈される。サーミスタ抵抗が特定の温度で過度の変動を有するか又は公称抵抗からずれる場合は、補正抵抗器を製造時に設置すべきである。
【００１４】
較正手順は、労働集約的であるためにコストが掛かる。較正時には、制御された温度でサーミスタの抵抗を測定しなければならず、また、補正抵抗器を設置しなければならない。次に、較正が問題なく為された事を確認するために、制御された温度で抵抗を再測定しなければならない。要素間の変動が小さい高価なガラス球サーミスタが、一般的な電子温度計プローブに使用される。これらの高価なサーミスタはまた、温度計の応答時間を増加させる大きな熱質量を有する。
補正抵抗器を使用した較正では、温度プローブを単一の基準温度で較正する必要がある。シングルポイント較正は、温度計算に比較的高い直線性誤差を引き起こし、精度を低下させる。
【００１５】
プローブ／センサ較正に付随する高いコスト及び厳しい公差のサーミスタの使用は、複数のサーミスタの使用を大半のプローブ用途において非実用的なものにした。より正確ないくつかの温度計算アルゴリズムでは、１つよりも多いサーミスタからの入力が必要である。その結果、要素のコストにより、これらのより正確な温度計算アルゴリズムは非実用的なものになっている。
【００１６】
【特許文献１】
米国特許仮出願一連番号第６０／３０１，３９５号
【特許文献２】
米国特許出願一連番号第０９／９４２，３３４号
【特許文献３】
米国特許第４，００８，６１４号
【特許文献４】
米国特許第４，６１９，２７１号
【特許文献５】
米国特許第４，５７２，３６５号
【特許文献６】
米国特許第４，２６０，０５８号
【特許文献７】
米国特許出願（一連番号未定）、２００１年６月２７日出願
【発明の開示】
【発明が解決しようとする課題】
【００１７】
色コード化及び他の識別機能は、プローブユニットをユーザに識別可能なものにしたが、異なる種類の交換可能プローブユニットは、一般的に電子ハードウエアで識別することができない。これにより、プローブユニット種類間の変動に適応する温度計算要素の能力が制限される。
【課題を解決するための手段】
【００１８】
本発明は、全ての相互汚染源に対する患者の露出を低減し、感染抑制を助け、清潔で汚染されていない容易にアクセス可能なプローブカバー供給装置を提供する。本発明の実施形態は、電子温度計のためのプローブアセンブリを特徴とし、これにより、製造時のコストの掛かる較正手順が不要となり、廉価なサーミスタを使用することができる。「ＥＥＰＲＯＭ」のようなメモリ要素は、プローブアセンブリ内の較正情報及び識別情報を記憶する。
【００１９】
本開示は、プローブアセンブリが温度計ベースユニットと電気的に嵌合される電気接続要素の近くにメモリ要素を配置する様々な実施形態を提供する。メモリ要素を含む回路基板は、コネクタの合わせ部分のみが露出されるインサート成形又はカプセル封入により、プローブケーブルの歪み逃がし部分に埋設される。温度プローブアセンブリが温度計ベースユニットと電気的に嵌合された時、メモリ要素は、ベースユニットの電子機器と電気的通信状態である。
【００２０】
対応する較正温度におけるプローブサーミスタの抵抗のような較正情報と、プローブ識別データ、すなわち製造番号又はプローブ型式識別子とは、プローブアセンブリ内の内蔵メモリ要素に記憶される。ベースユニットの電子要素は、メモリ要素からのデータを読み取り、記憶された較正情報に従ってプローブサーミスタの変動を補正することができる。任意数の機能を実行するために、温度計基本電子機器によって付加的な識別情報を使用することができる。このような機能には、使用されるプローブの種類に依存する予想温度を計算するための別々のアルゴリズムの使用が含まれるであろう。
【００２１】
本開示の発明は、特に、交換可能プローブアセンブリを有する電子温度計において有用である。本発明の特徴には、取外し可能なモジュールにおける温度プローブの即時自動識別が含まれる。異なる種類の取外し可能なモジュールベースの温度プローブ、又は、同じ種類の異なるプローブの効果的な交換可能性の機能が、労働集約的なハードウエア変更を必要とせずにもたらされる。
本発明は、更に、従来技術の電子温度計を凌ぐ性能及び精度の向上が特徴である。本発明の実施形態は、精度を向上させるための温度プローブ内の１つよりも多い温度センサを特徴とする。
【００２２】
本発明はまた、少なくとも２つの異なる基準温度に対する較正データを含む温度センサの全較正パラメータの記憶を特徴とする。本発明のこの特徴により、直線性誤差が低減され、温度計算アルゴリズムで使用される回帰処理が改善される。
更に、本発明は、幅広い公差を有する低コストの低熱質量サーミスタチップの使用を特徴とする。本発明のこの特徴により、より厳しい公差の大きなガラス玉型サーミスタを必要とする従来の電子温度計と比較すると、サーミスタの熱時定数及び全体的な応答時間が改善される。
【００２３】
本発明の更に別の特徴には、温度プローブ製造時の較正コストの低減又は解消が含まれる。製造コストは、プローブケーブル導体及びそれらのコネクタピン間のインタフェースとして作用する同じ小型の回路基板上にメモリ要素を取り付けることにより更に低減される。本発明の実施形態は、プローブケーブルの歪み逃がし部分内へのメモリ要素のカプセル封入を特徴とする。このようなカプセル封入により、電子要素及びプローブケーブル内への流体の侵入に対する保護がもたらされる。
本発明の上記及び他の特徴及び利点は、添付図面に関連して為される例示的実施形態の以下の詳細説明からより完全に理解されるであろう。
【発明を実施するための最良の形態】
【００２４】
ここで、一貫して同じ部品を示すために同じ番号が使用されている図１から図９Ｃに示す実施形態を参照する。部品が類似の形態及び機能を有する場合、解釈上の相互参照を容易にするために類似の番号を使用する場合がある。
図１を参照すると、本発明による温度計が図示されている。温度計は、温度計算ユニット及び温度計算ユニットに嵌合されて固定された取外し可能なモジュールを含む。取外し可能なモジュールが温度計算ユニットに固定された時、コネクタアセンブリ要素及び合わせヘッダアセンブリ要素は適切に位置合わせされ、一緒に電気接続部を形成する。この電気接続部により、温度プローブで検出された信号を取外し可能なモジュールから温度計算ユニットに送ることができる。受信すると、温度計算ユニットは、信号を温度読取値に変換する。温度読取値は、表示窓を通して観察される。
【００２５】
図２に示すように、本発明の少なくとも１つの実施形態による温度計算ユニット２００が図示されている。取外し可能なモジュールを温度計算ユニットに固定するために締結手段が設けられている。例示的な実施形態においては、取外し可能なモジュール内の合わせ形態を係合させるために、一対のレール２７０及び２７２が締結又はアラインメント手段として設けられている。取外し可能なモジュールとの嵌合を容易にするために、付加的なアラインメント手段及び固定手段を温度計算ユニットに設けることができる。例えば、固定手段２４２及び２４４は、電池室カバー２４６から突出して取外し可能なモジュール内の合わせ機能と係合するタブを含む。電池室カバー２４６は、固定手段２４２及び２４４が可撓性であり、カバー２４６を電池室の上部から容易に取外し可能であるようにエラストマー材料で作ることができる。電池カバー２４６は、取り付け面２４０のオリフィス２４７内に嵌合する。電池４００は、電池室に位置する。例示的な実施形態においては、電池室の上部は、取外し可能なモジュールが温度計ユニットに設置された時に取外し可能なモジュールの底面に当接する取り付け面２４０と一致する。また、取り付け面２４０は、取り付け面２４０の凹部３２０内に位置することができるトリガ装置３２２のための場所を提供する。トリガ装置３２２は、取外し可能なモジュールの底面上の特定位置に、使用されている取外し可能なモジュールの特定の種類を識別するストライカ又は突起を設けることにより、温度計算ユニットに設置された取外し可能なモジュールの特定の種類を区別するために使用することができる。スロット２６０が、温度計算ユニット２００の裏面２６２に設けられている。スロット２６０は、取外し可能なモジュールの正面から突出した隔離チャンバの外壁と係合する。例示的な実施形態において、このスロットは、温度計算ユニット２００と摺動しながら嵌合する間に取外し可能なモジュールの案内を助ける導入機能をもたらすような形状を有する。スロット内に取り付けられたボタン２４５は、温度計算ユニット２００の電子機器とリンクしている。押されると、ボタン２４５により、温度計算ユニット２００がオフになる。
【００２６】
ここで図３Ａを参照すると、本発明の少なくとも１つの実施形態による取外し可能なモジュールの後面図が図示されている。取外し可能なモジュール１００は、カートン１８６に詰められた使い捨てプローブカバー１８４を格納するための格納チャンバ１８２を含む。更に、取外し可能なモジュール１００は、温度感知プローブアセンブリ１６０及びモジュールハウジング１８０を含む。プローブアセンブリ１６０は、温度感知プローブ１６１、電気ケーブル１６２、及び第１コネクタ要素１２０を備える。温度感知プローブ１６１は、電気ケーブル１６２（図８）に取り付けられており、電気ケーブル１６２は、その反対端で第１コネクタ要素１２０に結合されている。プローブアセンブリ１６０は、ハウジングオリフィス１２２においてモジュールハウジング１８０内に固着する。プローブアセンブリ１６０は、取り付けられて固定されるか、又は、必要であれば交換のために固定解除してモジュールハウジング１８０から取り除くことができる。
【００２７】
モジュールハウジング１８０は、隔離チャンバ１４０及び格納チャンバ１８２を含む。図３Ｂで最も良く示すように、隔離チャンバ１４０は、モジュールハウジング１８０の裏側壁の中心に配置される。使用しない時、プローブ１６１は、隔離チャンバ１４０に挿入される。取外し可能なモジュール１００が温度計算ユニット２００との固定された位置にある時、プローブ１６１は、温度計算ユニット２００と格納チャンバ１８２との間にあり、これにより、プローブ１６１に対して更なる物理的な保護がもたらされる。本開示の目的のために、隔離チャンバ１４０は、モジュールハウジング１８０内のいずれの場所にも位置することができる。隔離チャンバ１４０の内径は、プローブカバー１８４がまだプローブ１６１に取り付けられた状態で隔離チャンバ１４０にプローブ１６１を挿入することができないように、プローブ１６１の外径に相当する。
【００２８】
プローブ１６１及び隔離チャンバ１４０は、共に同じ取外し可能なモジュール１００の要素であるから、プローブ１６１は、１つの隔離チャンバ１４０のみに格納することができ、その結果、相互汚染の可能性及び感染の広がりが低減される。隔離チャンバ１４０が何らかによって汚染されたという懸念がある場合、取外し可能なモジュール１００全体を洗浄のために取り外すことができる。代替的に、モジュールハウジング１８０を廉価な方法で交換してもよい。
【００２９】
隔離チャンバ１４０の底部には、自動オン／オフ機構を始動するためのパドル指示器１４５（図３Ｂ）のようなスイッチ起動装置がある。プローブ１６１が非使用期間中に隔離チャンバ１４０に挿入された時、プローブ１６１は、パドル指示器１４５を押して、温度計算ユニット２００上のボタン１４５に接触させるようにそれを曲げる（図２）。ボタン２４５は、温度計算ユニット２００の電子機器とリンクしている。起動されると、ボタン２４５により、温度計算ユニット２００がオフになる。隔離チャンバ１４０からプローブ１６１を抜くと、パドル指示器が解除される。これにより、温度計算ユニット２００がオンになり、温度測定の準備をする。この自動オン／オフ機構は、温度計算ユニット２００の電池の寿命を保つ。また、パドル指示器１４５は、リセットボタンとして使用することができ、新しい温度読取値を取ることができる時を示す。温度計算ユニット２００が連結した遮断機構を有する場合、パドル指示器１４５は、温度計算ユニット２００を再起動させるために使用することができる。これは、プローブ１６１を挿入して隔離チャンバ１４１から取り除くことにより達成することができ、その結果、パドル指示器１４５が始動されて温度計算ユニット２００がオンになる。パドル指示器１４５は、隔離チャンバ１４０内でのプローブ１６１の有無を区別することができる任意の種類の機械的、電気的、磁気的、又は光学スイッチとすることができる。
【００３０】
再び図３Ａを参照すると、モジュールハウジング１８０はまた、格納チャンバ１８２を含む。使い捨てプローブカバー１８４を含む使い捨てプローブカバーのカートン１８６は、格納チャンバ１８２内にぴったり嵌合する。カートン１８６は、医療従事者が穿孔引裂きタブを引いて幾つかのプローブカバー１８４を露出することができるように、タブを有して穿孔することができる。
代替実施形態においては、格納チャンバ１８２は、使い捨てカバーの箱が取り除かれて他の取外し可能なモジュール１００と交換可能に使用されるのを防止するための手段を含むことができる。例えば、格納チャンバ１８２は、カートンを取り除こうとするとカートンが裂けるように、プローブカバー１８６のカートンの側面に穴を開ける小さな突起１８９を含むことができる。別の実施形態においては、カートン１８６は、裂ける穿孔底部を有することができる。従って、カートンが取り除かれた場合に底部が裂けるであろう。その後、医療従事者は、新しいカートン１８６を格納チャンバ１８２に挿入する必要がある。この特徴により、医療従事者がプローブカバーを１つの取外し可能なモジュールから別の取外し可能なモジュールに切り替えて相互汚染の可能性を増すということが抑制される。
【００３１】
プローブ１６１、電気ケーブル１６２、第１コネクタ要素１２０、及びモジュールハウジング１８０を含む取外し可能なモジュール１００全体は、経口及び腋窩測定には青色、及び直腸測定には赤色という標準的な慣行に従って色コード化される。色コード化に加えて、本実施形態のモジュールハウジング１８０は、透明又は半透明である。このような透明ハウジングにより、医療従事者は、便利なことに任意の所定時間にカートン１８６に残っている使い捨てプローブカバー１８４を見て数えることができる。
モジュールハウジング１８０が透明であることにより、医療従事者は、使用上の指示、警告、及び再注文情報を含むカートン１８６上の情報を読むことができる。完全に透明なモジュールハウジング１８０は、本開示による一実施例である。
【００３２】
モジュールハウジング１８０は、例えば、側面、上面、正面、又は裏面パネルのいずれか１つのような単一の透明部分を有することができる。カートン１８６（図３Ｂ及び図４）が上部穿孔タブ１８７を含む時、内容を透明な上部を通して見ることができる。同様に、カートン１８６が側面パネルの穿孔部を含む時、モジュールハウジング１８０上の透明な裏面パネルを通して内容を見ることができる。これらの状況において、見て計数するためには、モジュールハウジング１８０に対して１つの透明又は半透明の上部部分又は側面パネルを有することのみが必要である。
【００３３】
モジュールハウジング１８０は、取外し可能なモジュール１００を温度計算ユニット２００の裏側に取り付けやすくする締結手段を含む。図２Ｂ及び図３Ｂで最も良くわかるように、本実施形態で使用される締結手段は、トラック１７０及び１７２であり、モジュールハウジング１８０では成形された凹部になっている。これらのトラックは、温度計算ユニット２００上のレール２７０及び２７２を受け入れる。更に、モジュールハウジング１８０は、モジュールハウジング１８０内の成形された凹部である固定手段１４２及び１４４を含む。凹部１４２及び１４４は、温度計算ユニット２００の取り付け面２４０上に位置する固定手段２４２及び２４４を受け止める。取外し可能なモジュール１００は、まずレール２７０及び２７２をトラック１７０及び１７２と、また固定手段１４２及び１４４を固定手段２４２及び２４４と位置合わせし、次に、固着タブ１６６が温度計算ユニット２００の上縁部を覆うように所定の位置にスナップ式に留まるまで取外し可能なモジュール１００を取り付け面２４０まで摺動させることにより温度計算ユニット２００に取り付けられる。締結手段、固定手段、及び固着タブは、本開示で定義されるように、取外し可能なモジュール１００を温度計算ユニット２００上で所定の位置に確実に固定する役目を果たす任意の結合装置又は結合装置構成とし得ることを理解すべきである。
【００３４】
温度計算ユニット２００は、取外し可能なモジュール１００が取り付けられる側面上に位置する第２コネクタ要素２２０を含む。第２コネクタ要素２２０（図９）は、温度計算ユニット２００内の温度計回路に配線されている。取外し可能なモジュール１００が温度計算ユニット２００に取り付けられた時、第１コネクタ要素１２０及び第２コネクタ要素２２０が嵌合して電気接続部を形成する。温度計算ユニット２００は、第１コネクタ要素１２０及び第２コネクタ要素２２０を通じて送られた、プローブ１６１により検出された信号を受信してその信号を温度読取値２８０に変換する。得られた温度読取値２８０は、表示窓１８２を通して観察される。
【００３５】
温度計算ユニット２００の回路は、電池４００により電力が供給される。電池４００は、取り付け面２４０内のオリフィス２４７に嵌合するカバー２４６を通じてアクセスされる。図４に示す実施形態において、カバー２４６は、防水シールを作るためにゴム製であり、洗浄のために温度計算ユニット２００全体を水中に沈めることができる。カバー２４６は、更に、固定手段２４２及び２４４を備える。カバー２４６は、電池４００を露出して交換するために取り付け面２４０から剥ぎ取ることができる。
【００３６】
代替実施形態においては、例えば、再び図２及び図３Ｂを参照すると、取外し可能なモジュール１００及び温度計算ユニット２００は、温度計算ユニット２００に固定された取外し可能なモジュール１００の種類を検出する手段も含むことができる。このような手段は、温度計算ユニット２００が取り付け面２４０に結合された物体の存在を感知することを可能にする２点スイッチを含むことができる。
温度計算ユニット２００は、各々がトリガ装置３２２を含む複数の凹部３２０を取り付け面２４０上にを有することができる。取外し可能なモジュール１００上の支柱３１０（図３Ｂ）のような対応する複数の突起があってもよい。取外し可能なモジュール１００が温度計算ユニット２００に結合された時、支柱３１０は、凹部３２０に嵌合し、スイッチ３２２をトリガする。次に、スイッチ３２２は、温度計算ユニット２００により感知される。各種類の取外し可能なモジュール１００は、異なる数の又は位置の支柱３１０を有することができる。例えば、経口モジュール１００は、凹部３２０内のスイッチ３２２に対応する１つの支柱３１０を有することができ、一方、直腸モジュールは、スイッチ３２２をトリガするための支柱３１０を持たなくてもよい。
【００３７】
取外し可能なモジュール１００が温度計算ユニット２００に結合されると、スイッチ３２２をトリガした場合に２つの代替信号をもたらすことになる。その後、これらの２点スイッチにより、温度計算ユニット２００は、取り付けられた取外し可能なモジュールの種類を検出することができる。モジュールの種類が検出されると、温度計算ユニット２００は、適切な温度測定をするために較正を行うことになる。２つの凹部を取り付け面２４０上に設けることにより、温度計算ユニット２００は、４つの異なる種類のモジュールを区別して相応に作動することができる。ただし、説明した２点スイッチは、任意の公知の電気的、機械的、磁気的、又は光学的スイッチから構成されてもよいことを理解すべきである。
【００３８】
少なくとも１つの実施形態においては、第１コネクタ要素１２０及び第２コネクタ要素２２０は、プローブアイデンティティ及び関連の較正パラメータに関するコード化された情報を有することができる。このようなコード化された情報により、温度計算ユニット２００は、取り付けられた取外し可能なモジュールの種類を検出することができる。図５Ａから図６に示すように、第１コネクタ要素１２０上のばね付勢支柱１２１は、第２コネクタ要素２２０上の接触パッド２２１と係合するのに使用することができる（図２、図９Ａ、図９Ｂ、及び図９Ｃ）。第１コネクタ要素１２０及び第２コネクタ要素２２０は、２つのコネクタ要素が近くにある時に信号を取外し可能なモジュール１００から温度計算ユニット２００に通すことができるような任意の機械的、電気的、磁気的、又は光学的接点としてもよいことが想定されている。従って、取外し可能なモジュール１００が温度計算ユニット２００に結合された時、温度計算ユニット２００は、取り付けられた取外し可能なモジュール１００により運ばれたコード化された情報を読み取り、対応する作動条件を自動的に設定する。
【００３９】
ここで再び図１から図４を参照すると、経口／腋窩型の取外し可能なモジュール１００が温度計算ユニット２００に結合されると、温度計算ユニット２００は、経口／腋窩型プローブ１６１のアイデンティティを読み取る。その時点で、温度計算ユニット２００の電気回路に結合された第２コネクタ要素２２０により、ウィンドウ２８２内に位置する経口／腋窩アイコン２８３が表示される。このアイコン２８３は、温度計１０が経口／腋窩モードで作動する準備が完了した状態であることを医療従事者に示す。同様に、直腸型の取外し可能なモジュール１００が温度計算ユニット２００に結合された時には、温度計算ユニット２００は、直腸型の取外し可能なモジュール１００のアイデンティティを読み取り、温度計１０が直腸モードで作動する準備が完了した状態であることを示す対応するアイコン２８３をウィンドウ２８２内に表示する。
【００４０】
ここで、本開示による温度計１０の作動について図１から図４を参照しながら説明する。温度測定が行われる時、医療従事者は、適当なモジュールを選択し、取外し可能なモジュール１００を温度計算ユニット２００上に取り付ける。一例として、経口温度測定が必要な場合、温度計算ユニット２００のレール２７０及び２７２と取外し可能なモジュール１００のトラック１７０及び１７２とを位置合わせすることにより、青色取外し可能なモジュール１００を温度計算ユニット２００に固定する。図４に最も良く示すように、レール２７０及び２７２が位置合わせされると、医療従事者は、モジュール１００の底部が取り付け面２４０上に乗るように温度計算ユニット２００を下方に摺動させる。この摺動作用において、固定手段２４２及び２４４は、固着タブ１６６が所定の位置にスナップ式に留まるまで凹部１４２及び１４４と嵌合する。このようにして固定された時、第１コネクタ要素１２０及び第２コネクタ要素２２０は、温度計１０を作動するための結合部を形成する。
【００４１】
温度感知プローブ１６１を隔離チャンバ１４０から取り外すと、温度計が起動されて準備完了モードとなる。次に、プローブ１６１を格納チャンバ１８２内のプローブカバー１８４に挿入する。プローブ１６１をプローブカバー１８４に挿入すると、プローブ１６１とプローブカバー１８４との間にスナップ式嵌合状態を作り出す。プローブ１６１が、カバー１８４が取り付けられているカートン１８６から抜かれる。医療従事者は、ボタン２８４（図１）を押して経口モード又は腋窩モードを選択する。短いビープ音が、温度計１０が測定準備完了状態であることを示す。プローブ１６１を患者の口に挿入する。測定が完了した時、長いビープ音が鳴り、最終温度読取値２８０が表示される。温度読取値２８０は、表示窓２８２を通して観察される。次に、プローブ１６１を患者の口から取り出し、プローブボタン１６８を押してプローブカバー１８４を適当な廃棄物容器に排出する。その後、別の読取値が必要な場合には、プローブ１６１をカートン１８６内の別のプローブカバー１８４に再び挿入してもよい。代替的に、プローブ１６１は、格納のために隔離チャンバ１４０に挿入して戻される。プローブ１６１を隔離チャンバ１４０に挿入すると、温度計１０が待機モードに切り替わる。
【００４２】
直腸温度測定が次に必要な場合は、取外し可能なモジュール１００を単に変えればよい。経口型の取外し可能なモジュール１００を取り除くために、医療従事者は、まず、固着タブ１６６を引き戻す。固着タブ１６６が外されると、医療従事者は、温度計算ユニット２００から切り離すために、経口型の取外し可能なモジュール１００を摺動させてレール２７０及び２７２から外す。次に、上述の方法で直腸型の取外し可能なモジュール１００を温度計算ユニット２００に固定する。
【００４３】
先に説明したように、プローブ１６１、隔離チャンバ１４０、及びプローブカバー１８４は、１つのユニット、すなわち取外し可能なモジュール１００内に収められている。この取外し可能なモジュール１００は、プローブ１６１、隔離チャンバ１４０、及びプローブカバー１８４の交換可能な使用を防止する。従って、本開示の取外し可能なモジュール１００は、プローブ１６１、隔離チャンバ１４０、及び使い捨てプローブカバー１８４の混ざり合いを防止することにより全ての主な汚染源を低減する。同時に、全ての種類のプローブ１６１と共に使用するのに１つの温度計算ユニット２００だけが必要であることから、本開示の温度計ユニット１０は、依然としてコスト効率が高い。
【００４４】
本開示によれば、取外し可能なモジュール１００は、温度計算ユニット２００の電子要素に対して即時検出可能かつ識別可能である。図１から図４を参照すると、温度計１０の例示的な実施形態が図示されている。更に、図５Ａから図９Ｃは、本発明によるコネクタ要素の例示的な実施形態を示す。電気的消却及びプログラム可能型読取専用メモリ「ＥＥＰＲＯＭ集積回路（ＩＣ）チップ」４１０が、小型プリント回路基板（ＰＣＢ）４００（図７）上に半田づけされ、電気ケーブル１６２の第１コネクタ要素１２０に対して設定される（図６Ａ）。「ＰＣＢ」４００の少なくとも一部は、オーバーモールドされてカプセル封入される（図５Ａ及び図５Ｂ）。
【００４５】
図６Ａから図６Ｂは、「ＥＥＰＲＯＭ  ＩＣ」４１０が半田づけされた「ＰＣＢ」４００を含む、部分的に組み付けられた第１コネクタ要素１２０を示す。図７は、第１コネクタ要素１２０に組み付ける前の「ＰＣＢ」４００及び「ＥＥＰＲＯＭ  ＩＣ」４１０を示す。第１コネクタ要素１２０及び歪み逃がし部１６４（図５Ａ及び図５Ｂ）は、取外し可能なモジュール１００への組み付け前に互いに結合される。ばね付勢支柱１２１により、温度計算ユニット２００の第２コネクタ要素２２０において電気ケーブル１６２と接触パッド２２１とが電気的に結合される（図２）。第２コネクタ要素２２０は、温度計算ユニット２００の電子要素と電気通信状態である。
【００４６】
「ＥＥＰＲＯＭチップ」４１０、「ＰＣＢ」４００、及び「ＰＣＢ」４００との電気接続は、カプセル封入又はオーバーモールドされることにより環境因子から保護される。このようなカプセル封入により、これらの要素は耐水性となり、欧州電気工学標準化委員会（ＣＥＮ）の耐水性適合要件を満足する。温度計１０に使用される特定の「ＥＥＰＲＯＭチップ」４１０は、例えば、ダラス・セミコンダクタから販売されている型式「ＤＳ２４３０Ａ」のような「寄生電力２５６ビット単線通信単線ＥＥＰＲＯＭ  ＩＣチップ」を含むことができる。ダラス・セミコンダクタの型式「ＤＳ２４３０Ａ」のデータシートは、本明細書においてその全内容が引用により組み込まれる。
【００４７】
「ＥＥＰＲＯＭチップ」４１０のデータ線は、直接に温度計マイクロプロセッサの単一ポートピンに結合される。「ＥＥＰＲＯＭチップ」４１０は、電力をデータ線で受け取るので、いかなる別の電力結合も必要ない。特定の「ＤＳ２４３０Ａ」型「ＥＥＰＲＯＭチップ」４１０は、最大１６．３Ｋビット／秒でマイクロプロセッサと通信する。様々なマイクロプロセッサ通信速度が本開示の精神に合致することが想定される。電源を投入すると、マイクロプロセッサは、自動的に工場レーザでプログラムされて認証された固有の６４ビット登録番号を読み取ってプローブ１６１を識別する。次に、マイクロプロセッサは、「ＥＥＰＲＯＭチップ」４１０が内蔵された特定の温度プローブを特徴づける予め記憶された２５６ビット較正及びアルゴリズムパラメータを読み取る。
【００４８】
本発明の少なくとも１つの実施形態において、電気ケーブル１６２の一端は、温度プローブ１６１に取り付けられ（図８）、電気ケーブル１６２の他端は、「ＰＣＢ」４００に結合されている（図５Ａ、図５Ｂ、図６Ａ、図６Ｂ、図７、及び図８）。「ＰＣＢ」４００は、８つの導電金属（例えば、金）メッキパッドを含み、そのうちの５つは、電気ケーブル１６２内に位置する５つの導体に結合され、２つは、「ＥＥＰＲＯＭチップ」４１０に結合される。従って、「ＥＥＰＲＯＭチップ」４１０、「ＰＣＢ」４００、及び電気ケーブル１６２間の特定の結合は、特定の集積回路、回路基板、ケーブル、及び使用された電気接続部により変えることができることが想定される。一実施形態においては、「ＥＥＰＲＯＭチップ」４１０を含む「ＰＣＢ」４００は、摺動して第１コネクタ要素１２０（図６Ｂ）に入り、その後でオーバーモールドされる。代替実施形態においては、「ＥＥＰＲＯＭチップ」４１０を含む「ＰＣＢ」４００の一部分及びケーブル結合部は密封され、歪み逃がし部１６４と共にオーバーモールドされる。いずれの実施形態においても、電気ケーブル１６２のオーバーモールドコネクタ部分は、永久的に取外し可能なモジュールの壁部に取り付けられる（図３Ｂ）。第１コネクタ要素１２０のハウジングは、それを取外し可能なモジュール１００内の合わせ空間に挿入して固定することができ、それによって温度プローブ１６１及び電気ケーブル１６２が取外し可能なモジュール１００の一体部分となるように設計される。
【００４９】
同様に、第２コネクタ要素２２０及びその端子ピン又はパッド２２１は、第２コネクタ要素２２０及び温度計算ユニット２００容器内への流体浸透がないように環境的にカプセル封入される。合わせ第２コネクタ要素２２０（図２、図９Ａ、図９Ｂ、及び図９Ｃ）は、コネクタハウジング２２５に挿入されて密封される打ち抜き金属端子ピン２２１を含む。これらの端子ピン２２１の後端は、他の要素の組み付け行程時に温度計算ユニット２００のプリント回路基板上に半田づけされる。第２コネクタ要素２２０のコネクタハウジング２２５が位置合わせされて温度計算ユニット２００の裏面２６２（図２）の背後の空洞（図示せず）に設置され、温度計算ユニット２００の裏面２６２と、端子ピン２２１及びコネクタハウジング２２５を含む第２コネクタ要素２２０との間の密封構成を提供する。この密封構成により、温度計算ユニット２００へのいかなる流体の侵入の可能性も排除される。
【００５０】
第２コネクタ要素２２０の例示的な実施形態を図９Ｃに示す。第２コネクタ要素２２０周囲のそれぞれの側の溝２２３は、取外し可能なモジュール１００（図３Ｂ及び図３Ｂ）が温度計算ユニット２００（図２）に設置された時、電気接続部を形成するために第１コネクタ要素１２０（図５Ｂ及び図６Ｂ）上の合わせフランジ１２７を受け入れて固定する。第１コネクタ要素１２０の周囲に沿って位置するフランジ１２７は、取外し可能なモジュール１００が摺動して温度計算ユニット２００と嵌合した時に、第２コネクタ要素２２０の溝２３に摺動して入る。第１コネクタ要素１２０上のフランジ１２７と第２コネクタ要素２２０の溝２２３との間の係合により、ばね付勢支柱１２１が接触パッド２２１と確実に電気接触した状態に保持されることが保証される。また、第１コネクタ要素１２０上のフランジ１２７と第２コネクタ要素２２０上の溝２２３との間の係合により、流体が、ばね付勢支柱１２１と接触パッド２２１との間の電気接点を劣化させる可能性がある接触区域に到達するか、又は、温度計算ユニット２００内に入るのが防止される。
【００５１】
第１コネクタ要素１２０に内蔵された「ＥＥＰＲＯＭチップ」４１０は、各付随したプローブ１６１（図８）内のサーミスタセンサの正確な２点較正に必要とされる全ての必要な情報及び／又はパラメータを保持する。この情報には、２つの異なる温度におけるサーミスタ抵抗値のような較正関連パラメータが含まれる。
「ＥＥＰＲＯＭチップ」４１０はまた、プローブ及びプローブの種類を識別するのに必要な情報を保持する。この情報には、取外し可能なモジュール（直腸、又は、経口／腋窩）の種類に関係するプローブ識別情報、固有のアセンブリ部品番号、日付コード、「巡回冗長検査（ＣＲＣ）」、及び他の製造関連データが含まれる。ダラス・セミコンダクタから入手可能な「ＥＥＰＲＯＭ  ＩＣチップ」型式「ＤＳ２４３０Ａ」を使用する例示的実施形態においては、この識別情報には、工場レーザプログラム及び認証された固有の６４ビット登録番号が含まれる。
【００５２】
本明細書で説明するメモリ要素は、「ＥＥＰＲＯＭチップ」４１０の形態で例示的に実施されるが、様々な回路構成及び／又はメモリ素子により本開示による温度プローブアダプタを実施できることが想定される。また、代替実施形態においては、無線通信である無線周波数（ＲＦ）送信技術を使用して、温度計算ユニット又は他の任意の較正ステーションと取外し可能な「ＩＳＯ−チャンバ」ベースの温度プローブアセンブリとの間で通信することもできる。プローブケーブル１６２は、内蔵「読取り専用（Ｒ）」又は「読取り／書込み（Ｒ／Ｗ）」の「ＲＦＩＤ」無線周波数識別トランスポンダタグ又はマイクロチップを有することができる。オン・ザ・チップ「ＥＥＰＲＯＭ」は、ベースユニットすなわち温度計算ユニット又は他の任意の較正ステーションから、無線で読出し及び書込みを行うことができる。
【００５３】
本開示を本明細書においてその例示的実施形態に関して説明したが、形態及びその詳細における上記及び様々な他の変更、省略、又は追加を本開示の精神及び範囲から逸脱することなく為し得ることを認めるべきである。開示内容を説明した実施形態は単に例示的であり、当業者がその変更を考えることができることは理解されるものとする。従って、本開示は、開示された実施形態に限定されるとはみなされず、特許請求の範囲で規定された時にのみ限定されるものとする。
【図面の簡単な説明】
【００５４】
【図１】本発明の少なくとも１つの実施形態による電子温度計を示す図である。
【図２】本発明の少なくとも１つの実施形態による温度計算ユニットを示す図である。
【図３Ａ】本発明の少なくとも１つの実施形態による取外し可能なモジュールの後面図である。
【図３Ｂ】本発明の少なくとも１つの実施形態による取外し可能なモジュールの正面図である。
【図４】本発明の少なくとも１つの実施形態により温度計算ユニットと嵌合する取外し可能なモジュールを示す図である。
【図５Ａ】本発明の少なくとも１つの実施形態によるコネクタアセンブリを示す図である。
【図５Ｂ】本発明の別の実施形態によるコネクタアセンブリを示す図である。
【図６Ａ】本発明の少なくとも１つの実施形態によるコネクタハウジング／「ＰＣＢ」サブアセンブリを示す図である。
【図６Ｂ】本発明の別の実施形態によるコネクタハウジング／「ＰＣＢ」サブアセンブリを示す図である。
【図７】本発明の１つの実施形態による「ＰＣＢ」を示す図である。
【図８】本発明の少なくとも１つの実施形態による完全なプローブアセンブリ（第１コネクタ要素、電気ケーブル、及びプローブ）を示す図である。
【図９Ａ】本発明の少なくとも１つの実施形態による第２コネクタ要素の正面及び上面正投影図である。
【図９Ｂ】本発明の少なくとも１つの実施形態による第２コネクタ要素内の端子ピン空洞の断面図である。
【図９Ｃ】本発明の実施形態による第２コネクタ要素を示す図である。
【符号の説明】
【００５５】
１０  温度計
１００  取外し可能なモジュール
１６１  プローブ
１６２  電気ケーブル
２００  温度計算ユニット
２８２  ウィンドウ
２８３  アイコン
２８４  ボタン
【図６Ａ】
2004533618.tif 000003
【国際公開パンフレット】
2004533618.tif 000004
2004533618.tif 000005
2004533618.tif 000006
2004533618.tif 000007
2004533618.tif 000008
2004533618.tif 000009
2004533618.tif 000010
2004533618.tif 000011
2004533618.tif 000012
2004533618.tif 000013
2004533618.tif 000014
2004533618.tif 000015
2004533618.tif 000016
2004533618.tif 000017
2004533618.tif 000018
2004533618.tif 000019
2004533618.tif 000020
2004533618.tif 000021
2004533618.tif 000022
2004533618.tif 000023
2004533618.tif 000024
2004533618.tif 000025
2004533618.tif 000026
2004533618.tif 000027
2004533618.tif 000028
2004533618.tif 000029
2004533618.tif 000030
2004533618.tif 000031
2004533618.tif 000032
2004533618.tif 000033
2004533618.tif 000034
2004533618.tif 000035
2004533618.tif 000036
2004533618.tif 000037
2004533618.tif 000038
2004533618.tif 000039
2004533618.tif 000040
2004533618.tif 000041
2004533618.tif 000042
【国際調査報告】
2004533618.tif 000043
2004533618.tif 000044
2004533618.tif 000045